(57)【要約】【課題】太陽光発電から電気系統への出力を安定させる。【解決手段】出力安定化システム１は、発電電力を電力系統１００に出力する太陽光発電装置１０及び温水と冷水との温度差によって発電を行う熱電発電装置２０と、温水を生成する加熱装置３０と、熱電発電装置２０の制御を行う熱電発電制御装置４０とを備え、制御装置４０は、電力系統１００への予測出力量を設定し、この予測出力量に基づいて所定時間帯の単位時間毎の電力系統１００への目標出力量を設定する出力予測部５０と、太陽光発電量を計測する出力計測部５２と、太陽光発電装置１０から加熱装置３０への電力供給を切り替える電源切替部５４と、太陽光発電量が目標出力量を下回っている場合に熱電発電装置２０を駆動させかつ電源切替部５４をオフし、太陽光発電量が目標出力量を上回っている場合に熱電発電装置２０を停止させかつ電源切替部５４をオンにする制御を行う出力制御部５６とを備える。【選択図】図１
2013198197.tif 000002
【特許請求の範囲】
【請求項１】
太陽光を受光することによって発電を行い、電力を電力系統に出力する太陽光発電装置と、
電力を用いて貯水タンク内の水を加熱する加熱装置と、
当該加熱装置によって生成された温水と冷水とを用いて発電を行い、電力を電力系統に出力する熱電発電装置と、
当該熱電発電装置を起動及び停止させる制御を行う制御装置とを備え、
前記制御装置は、
前記太陽光発電装置の所定時間帯における発電量を予測して、前記所定時間帯における前記電力系統への予測出力量を設定するとともに、当該予測出力量に基づいて前記所定時間帯における単位時間毎の前記電力系統への目標出力量を設定する出力予測部と、
前記太陽光発電装置の発電量を計測する出力計測部と、
前記太陽光発電装置から前記加熱装置への電力供給をオンオフする電源切替部と、
前記目標出力量と前記太陽光発電装置の発電量とを比較し、前記太陽光発電装置の発電量が前記目標出力量を下回っている場合に、前記熱電発電装置による発電を実行させるとともに前記電源切替部をオフにする制御を行い、前記太陽光発電装置の発電量が前記目標出力量を上回っている場合に、前記熱電発電装置による発電を停止させるとともに前記電源切替部をオンにする制御を行う出力制御部とを備えることを特徴とする出力安定化システム。
【請求項２】
前記出力予測部は、月日単位で天気が晴れの場合における出力量の変化の予測値を記憶した情報記憶部と、気象情報を収集する気象情報収集部と、前記情報記憶部及び前記気象情報収集部の情報に基づいて、前記予測出力量を算出する予測出力量算出部とを備えることを特徴とする請求項１記載の出力安定化システム。
【請求項３】
前記加熱装置は、深夜電力を用いて温水を生成するヒートポンプを備えることを特徴とする請求項１又は２記載の出力安定化システム。
【請求項４】
前記加熱装置は、太陽熱を集めて発熱する太陽熱ヒータを備えることを特徴とする請求項１乃至３のいずれか１項記載の出力安定化システム。
【発明の詳細な説明】
【技術分野】
【０００１】
本発明は、熱電発電を用いて太陽電池の出力を安定化させる出力安定化システムに関する。
【背景技術】
【０００２】
再生可能エネルギー源（太陽光、風力、水力、地熱、バイオマス等）を使用して発電した電力を買い取る制度（再生可能エネルギーの固定価格買取制度）が、平成２４年７月１日からスタートする。この制度により、太陽光発電や風力発電が更に拡大していくことが見込まれる。
【０００３】
ところで、太陽光発電や風力発電によって得られる電源は、太陽光の照度の大きさや風力の大きさによって出力が変動するため、不安定であるという特徴がある。
【０００４】
現状では、例えば、自宅の太陽光発電システムで発電した不安定な電力を電気事業者に送るために電力系統に出力した際、太陽光発電等の不安定電源の容量が小さいため、既存の水力発電や火力発電で出力変動を吸収することが可能である。しかし、今後、太陽光発電が拡大した場合、電力系統の安定維持の観点から、太陽光発電等の不安定電源の導入に制約がかかる可能性が高い。例えば、太陽光発電システムが広く普及すると、夏場において、晴天から雨になった場合に、多くの太陽光発電システムから電力が電力系統に出力されている状態から、短時間の間に太陽光発電システムからの電力が一斉に少なくなることが起こりうる。このように、電力系統の安定維持が難しくなる可能性があるため、太陽光発電による電力を平滑化して、電力系統への出力を安定させる技術が望まれる。
【０００５】
従来、不安定電源からの電力の変動を吸収する技術としては、不安定電源からの電力を一旦、蓄電池に供給して充電を行い、充電された蓄電池を電源として用いるという技術がある。
【０００６】
また、従来、この種の技術として、特許文献１に記載された技術がある。特許文献１によれば、風力発電装置や太陽光発電装置などの分散電源の出力が減少したときは蓄電部を放電し、分散電源の出力が増加したときは蓄電部に充電することにより、電力系統への出力変動を平滑化することが開示されている。
【先行技術文献】
【特許文献】
【０００７】
【特許文献１】特許第４１７０５６５号公報
【発明の概要】
【発明が解決しようとする課題】
【０００８】
しかしながら、上述した蓄電池を用いる技術は、コストと電力損失の面から、商業的に利用されていないのが現状である。電力の平滑化技術としては、他にも、フライホイールを利用する方法や、ＨＥＭＳ（Ｈｏｍｅ  Ｅｎｅｒｇｙ  Ｍａｎａｇｅｍｅｎｔ  Ｓｙｓｔｅｍ）等のアイデアがあるが、コストと電力損失の問題のために、今後広く普及するには技術的、経済的課題が大きい。
【０００９】
本発明は、このような問題点を解決し、太陽光発電等の不安定電源から電気系統への出力を安定させることを実現した出力安定化システムを提供することを目的とする。
【課題を解決するための手段】
【００１０】
本発明は、前記目的を達成するため、次に記載する構成を備えている。
【００１１】
（１）  太陽光を受光することによって発電を行い、電力を電力系統に出力する太陽光発電装置と、電力を用いて貯水タンク内の水を加熱する加熱装置と、当該加熱装置によって生成された温水と冷水とを用いて発電を行い、電力を電力系統に出力する熱電発電装置と、当該熱電発電装置を起動及び停止させる制御を行う制御装置とを備え、前記制御装置は、前記太陽光発電装置の所定時間帯における発電量を予測して、前記所定時間帯における前記電力系統への予測出力量を設定するとともに、当該予測出力量に基づいて前記所定時間帯における単位時間毎の前記電力系統への目標出力量を設定する出力予測部と、前記太陽光発電装置の発電量を計測する出力計測部と、前記太陽光発電装置から前記加熱装置への電力供給をオンオフする電源切替部と、前記目標出力量と前記太陽光発電装置の発電量とを比較し、前記太陽光発電装置の発電量が前記目標出力量を下回っている場合に、前記熱電発電装置による発電を実行させるとともに前記電源切替部をオフにする制御を行い、前記太陽光発電装置の発電量が前記目標出力量を上回っている場合に、前記熱電発電装置による発電を停止させるとともに前記電源切替部をオンにする制御を行う出力制御部とを備えることを特徴とする出力安定化システム。
【００１２】
（１）によれば、制御装置は、太陽光発電装置の出力量が目標出力量に到達しない場合に熱電発電装置を起動させて発電を行い、太陽光発電装置と熱電発電装置の電力を電力系統力に出力する。また、太陽光発電装置の出力量が目標出力量を越えている場合には、熱電発電装置を停止状態にするとともに、太陽光発電装置からの電力の一部を加熱装置に出力し、加熱装置を駆動させて温水を生成させる。このように、太陽光発電装置の出力量が目標出力量より少ない場合には、少ない分の電力が熱電発電装置によって補填され、太陽光発電装置の出力量が目標出力量より多い場合には、目標出力量より上回った分の電力が加熱装置によって消費されるため、電力系統に対する電力の出力を安定させることが可能になる。
【００１３】
（２）  （１）において、前記出力予測部は、月日単位で天気が晴れの場合における出力量の変化の予測値を記憶した情報記憶部と、気象情報を収集する気象情報収集部と、前記情報記憶部及び前記気象情報収集部の情報に基づいて、前記予測出力量を算出する予測出力量算出部とを備えることを特徴とする出力安定化システム。
【００１４】
（２）によれば、例えば、所定時間帯を日の出から日の入りまでに設定した場合、日の出前に、気象情報に基づいて、天候の変化による太陽光発電装置における発電量の低下を考慮した予測出力量を算出する。そして、この予測出力量に基づいて目標出力量を設定する。このため、太陽光発電装置における実際の発電量の推移に近い目標出力量を設定することが可能になる。これにより、実際の発電量と目標出力量との差をできるだけ小さくすることが可能になり、熱電発電装置が補う電力量を小さくすることが可能になる。その結果、熱電発電装置の負担を軽減することが可能になる。
【００１５】
（３）  （１）又は（２）において、前記加熱装置は、深夜電力を用いて温水を生成するヒートポンプを備えることを特徴とする出力安定化システム。
【００１６】
（４）  （１）〜（３）において、前記加熱装置は、太陽熱を集めて発熱する太陽熱ヒータを備えることを特徴とする出力安定化システム。
【００１７】
（３）、（４）によれば、熱電発電に必要な温水を安価に確保することが可能になる。
【発明の効果】
【００１８】
本発明によれば、太陽光発電から電気系統への出力を安定させることを実現した出力安定化システムを提供することが可能になる。
【図面の簡単な説明】
【００１９】
【図１】本発明の一実施形態における出力安定化システム１の構成を示す説明図である。
【図２】熱電発電制御装置４０における処理を説明するためのグラフである。
【図３】本発明の他の実施形態における出力安定化システム１の構成を示す説明図である。
【図４】本発明の他の実施形態における出力安定化システム１の構成を示す説明図である。
【発明を実施するための形態】
【００２０】
以下、本発明の実施形態について、図面を参照しながら詳細に説明する。
図１は、本発明の、一実施形態における出力安定化システム１の構成を示す説明図であり、出力安定化システム１は、太陽光発電装置１０と、熱電発電装置２０と、加熱装置３０と、制御装置に相当する熱電発電制御装置４０とを備える。出力安定化システム１は、主に太陽光発電装置１０からの出力を平滑化して電力系統１００に出力するものである。電力系統１００に出力された出力安定化システム１からの電力は、電力系統１００の電力事業者に買い取られる。
【００２１】
太陽光発電装置１０は、太陽光を受光することによって発電を行い、電力を電力系統１００に出力する。また、太陽光発電装置１０は、加熱装置３０と電源ライン１２によって接続されている。
【００２２】
熱電発電装置２０は、温水部２２と、冷水部２４と、熱電変換素子２６とを有し、熱電変換素子２６は、温水部２２と冷水部２４との温度差によってゼーベック効果を生じさせることにより、起電力を発生させる。熱電発電装置２０は、熱電変換素子２６で発生した電力を電力系統１００に出力する。温水部２２には加熱装置３０から温水が供給される。冷水部２４には水道から冷水が供給される。
【００２３】
加熱装置３０は、貯水タンク３２と、ヒートポンプ３４と、電源スイッチ３５と、開閉弁３８と、制御回路３９とを備えている。また加熱装置３０は、深夜電力を利用してヒートポンプ３４を起動することにより、夜間において貯水タンク３２内の水を加熱して、温水を作る。なお、貯水タンク３２には、深夜電力による加熱を開始する前に、使用した温水量に応じて、水道から水が貯水タンク３２に注入される。
【００２４】
また、貯水タンク３２と温水部２２とは配管３６によって接続されており、この配管３６には、開閉弁３８が設けられている。また、電源スイッチ３５は、電源ライン１２をオンオフするスイッチである。つまり、加熱装置３０は、深夜電力を供給する電源（例えば、商用電源）の他に、太陽光発電装置１０を電源として使用することが可能である。
【００２５】
更に、制御回路３９は、電源スイッチ３５及び開閉弁３８を熱電発電制御装置４０からの制御信号に基づいて駆動制御する。
【００２６】
熱電発電制御装置４０は、ＣＰＵ４２（ｃｅｎｔｒａｌ  ｐｒｏｃｅｓｓｏｒ  ｕｎｉｔ）と、ＲＯＭ（ｒｅａｄ  ｏｎｌｙ  ｍｅｍｏｒｙ）４４と、ＲＡＭ（ｒａｎｄｏｍ  ａｃｃｅｓｓ  ｍｅｍｏｒｙ）４６とを備えている。ＣＰＵ４２は、出力安定化システム１全体の制御を行う。ＲＯＭ４４は、ＣＰＵ４２に実行させる各種のプログラムを記憶している。ＲＡＭ４６は、出力安定化システム１の制御に用いるための各種のデータを記憶している。例えば、一年間における各月日において、晴れた場合の日の出から日の入りまでの単位時間毎（例えば１０分毎）の発電量及び一日単位の発電量を記憶した基準発電量テーブル、日の出日の入りの時間テーブル等が記憶されている。
【００２７】
ＣＰＵ４２は、ＲＯＭ４４に記憶されたプログラムを実行することにより、出力予測部５０、出力計測部５２、電源切替部５４、開閉弁切替部５５及び出力制御部５６として機能する。
【００２８】
出力予測部５０は、気象情報収集部５８と、予測出力量算出部６０としての機能を備えている。気象情報収集部５８は、例えば、インターネットやラジオ等から気象情報を収集する。予測出力量算出部６０は、ＲＡＭ４６に記憶されている基準発電量テーブルから、当日の発電量を読み出し、読み出した発電量を当日の気象情報に基づいて調整することにより、当日の予測出力量を算出する。例えば、当日は６時の日の出で１８時に日の入りの場合、６時前に気象情報を取得し、曇りや雨の時間帯があれば基準発電量テーブルの一日の発電量の値を低く調整する演算を行う。このように、出力予測部５０は、太陽光発電装置１０の所定時間帯（例えば、６時〜１８時）における発電量を予測して、所定時間帯における電力系統への予測出力量を設定し、ＲＡＭ４６に記憶する。更に、出力予測部５０は、予測出力量に基づいて基準発電量テーブルの単位時間毎の発電量の値に補正を加えることにより、所定時間帯における単位時間毎の電力系統への目標出力量を設定する。
【００２９】
出力計測部５２は、太陽光発電装置１０の実際の発電量を計測する。
電源切替部５４は、太陽光発電装置１０から加熱装置３０への電力供給をオンオフさせるために、電源スイッチ３５の切替制御を行う制御信号を加熱装置３０に送信する。具体的は、電源切替部５４から電源スイッチ３５をオンする制御信号が加熱装置３０に送信された場合に、加熱装置３０において電源スイッチ３５が自動的にオンになり、太陽光発電装置１０の出力がヒートポンプ３４に印加され、温水の生成が実行される。電源切替部５４から電源スイッチ３５をオフする制御信号が加熱装置３０に送信された場合には、電源スイッチ３５が自動的にオフになり、太陽光発電装置１０の出力はヒートポンプ３４に印加されない。このため、温水の生成は実行されない。
【００３０】
開閉弁切替部５５は、加熱装置３０から熱電発電装置２０への温水の供給、停止を行うために、開閉弁３８の開閉制御を行う制御信号を加熱装置３０に送信する。具体的は、開閉弁切替部５５から開閉弁３８を開放させる制御信号が加熱装置３０に送信された場合に、加熱装置３０において開閉弁３８が自動的に開放し、貯水タンク３２の温水が温水部２２に供給され、更に、水道から冷水部２４に水が循環供給される。電源切替部５４から開閉弁３８を閉鎖させる制御信号が加熱装置３０に送信された場合には、開閉弁３８が自動的に閉鎖され、貯水タンク３２の温水が温水部２２に供給されない。
【００３１】
出力制御部５６は、出力予測部５０で求めた目標出力量と、出力計測部５２が計測した太陽光発電装置１０の発電量とを比較し、熱電発電装置２０を起動するか否かを判定する処理を行う。具体的に、出力制御部５６は、出力予測部５０で求めた目標出力量と、出力計測部５２が計測した太陽光発電装置１０の発電量とを比較する。
【００３２】
そして、太陽光発電装置１０の発電量が目標出力量を下回っている場合に、熱電発電装置２０に発電を実行させる制御信号を送信する。更に、出力制御部５６は、電源切替部５４から加熱装置３０に電源スイッチ３５をオフにする制御信号を送信させるとともに、開閉弁切替部５５から加熱装置３０に開閉弁３８を開放させる制御信号を送信させる。
【００３３】
また、出力制御部５６は、太陽光発電装置１０の発電量が目標出力量を上回っている場合に、熱電発電装置２０による発電を停止させる制御信号を送信する。更に、出力制御部５６は、電源切替部５４から加熱装置３０に電源スイッチ３５をオンにする制御信号を送信させるとともに、開閉弁切替部５５から加熱装置３０に開閉弁３８を閉鎖させる制御信号を送信させる。
【００３４】
このように、太陽光発電装置１０の発電量が目標出力量を下回っている場合には、熱電発電装置２０が発電を実行し、太陽光発電装置１０及び熱電発電装置２０の電力が電力系統１００に出力される。太陽光発電装置１０の発電量が目標出力量を上回っている場合には、太陽光発電装置１０の電力の一部が加熱装置３０に出力され、温水を生成することに消費される。
【００３５】
次に、図２を参照しながら熱電発電制御装置４０における処理を説明する。
熱電発電制御装置４０において、気象情報収集部５８が、太陽光発電装置１０が発電を実行する前に気象情報を収集する。そして、出力予測部５０は、気象情報収集部５８が収集した気象情報を考慮して、一日における太陽光発電装置１０から電力系統１００への予測出力量を求める。更に、出力予測部５０は、予測出力量に基づいて、ＲＡＭ４６に記憶されている単位時間毎（例えば、１０分毎）の目標出力量を設定した基準発電量テーブルの値に補正を加え、出力計測部５２が計測した実際の発電量と比較するための比較テーブルを作成する。この比較テーブルはＲＡＭ４６に記憶される。
【００３６】
例えば、当日の気象情報収集部５８で取得した情報が一日快晴の場合には、ＲＡＭ４６に記憶されている一日の予測出力量に変化がないため、基準発電量テーブルの値が、そのまま比較テーブルの値となる。このため、目標出力量は、例えば、所定時間帯において図２のグラフＡに示すような線を描くように設定される。
【００３７】
しかし、例えば、気象情報収集部５８が、曇りや雨の時間帯が多いが正午あたりに晴れの時間帯があるといった気象情報を収集した場合に、出力予測部５０は、曇りや雨の時間帯において予想される不足する受光量分の出力量を求め、この出力量をＲＡＭ４６に記憶されている一日の発電量から差し引いた値を予測出力量として設定する。更に、この予測出力量に基づいて、比較テーブルが作成される。その結果、前述した気象条件の場合には、例えば、目標出力量は、例えば、図２のグラフＢに示すような線を描く。
【００３８】
また、当日、図２のグラフＢに示す目標出力量が設定された場合に、出力計測部５２が計測した太陽光発電装置１０の実際の発電量がグラフＣに示すような線を描いたとする。
【００３９】
図２において、Ｐ１〜Ｐ４に示す時間帯に、太陽光発電装置１０の発電量が目標出力量を下回っている。この場合、Ｐ１〜Ｐ４に示す時間帯において、熱電発電装置２０が発電を実行し、熱電発電装置２０の電力が電力系統１００に出力される。このため、太陽光発電装置１０の出力に対して熱電発電装置２０の出力が補われ、出力安定化システム１の出力が目標出力量に近づく。
【００４０】
また、Ｑ１、Ｑ２に示す時間帯において、太陽光発電装置１０の発電量が目標出力量を上回っている。この場合、Ｑ１、Ｑ２に示す時間帯において、太陽光発電装置１０の出力によってヒートポンプ３４が起動し、温水の生成が行われる。このため、太陽光発電装置１０の出力が貯水タンク３２内の水の温度を上げるために加熱装置３０によって消費されることにより、出力安定化システム１の出力が目標出力量に近づく。このように、太陽光発電装置１０のような不安定電源の電力を平滑化して電力系統１００に出力することが可能になる。
【００４１】
以上説明したように構成された本実施形態によれば、次に記載する作用効果を奏する。
本実施形態によれば、太陽光発電装置１０の出力量が目標出力量に到達しない場合に、熱電発電装置２０が発電を行って電力系統に電力を出力する。また、太陽光発電装置１０の出力量が目標出力量を越えている場合には、熱電発電装置２０が停止するとともに、太陽光発電装置１０からの電力の一部が加熱装置３０を駆動させて温水を生成することに使用される。このように、太陽光発電装置１０の出力量が目標出力量より少ない場合には、少ない分の電力が熱電発電装置２０によって補填され、太陽光発電装置１０の出力量が目標出力量より多い場合には、目標出力量より上回った分の電力が加熱装置３０によって消費されるため、電力系統１００に対する電力の出力が平滑化され、安定した電力を出力することが可能になる。
【００４２】
また、本実施形態によれば、例えば、所定時間帯を日の出から日の入りまでに設定した場合、日の出前に、気象情報に基づいて、天候の変化による太陽光発電装置１０における発電量の低下を考慮した予測出力量を算出する。そして、この予測出力量に基づいて目標出力量を設定するため、太陽光発電装置１０における実際の発電量の推移に近い目標出力量を設定することが可能になる。
【００４３】
例えば、晴れの日を基準とした目標出力量に対して、実際の天候が雨天の場合の太陽光発電装置１０の出力量を比較した場合には、太陽光発電装置１０の出力量と目標出力量との差が大きくなり、その差を補うために熱電発電装置２０の負担が大きくなる。しかし、本実施形態のように、気象情報が雨天の場合には予測出力量を下げることにより、太陽光発電装置１０における実際の発電量の推移に目標出力量を近づけることが可能になる。これにより、熱電発電装置２０の負担が軽減され、貯水タンク３２の温水が熱電発電装置２０における発電に全て使われてしまう、といった事態を回避することが可能になる。
【００４４】
また、深夜電力を利用して加熱装置３０を駆動することによって生成した温水を、熱電発電装置２０における熱電発電で使用するため、熱電発電に必要な温水を安価に確保することが可能になる。
【００４５】
以上、本発明の実施形態について説明したが、本発明の実施形態は上述した実施形態に限るものではない。例えば、上述した実施形態によれば、熱電発電装置２０における発電に用いる温水は、深夜電力を利用してヒートポンプ３４を駆動することによって生成しているがそれに限らず、図３に示すように太陽熱温水器７０によって生成した温水を熱電発電装置２０に供給するように構成してもよい。ここで、太陽熱温水器７０は、太陽熱ヒータ７２とタンク（図示せず）とを備えており、太陽熱ヒータ７２が集めた熱によって、タンク内の水を加熱するものである。なお、ヒートポンプ３４と太陽熱温水器７０とを併用して温水を生成してもよい。
【００４６】
また、上述した実施形態においては、太陽光発電装置１０が発電を開始する直前に目標発電量を設定しているが、例えば、太陽光発電装置１０の発電量と目標発電量とを比較する時間の直前に、実際の天候に合わせて目標発電量を調整してもよい。例えば、天気予報では雨の時間帯であるにもかかわらず、実際には晴れている場合には、目標発電量を高くしてもよい。なお、実際の天候は、太陽光発電装置１０の実際の発電量から予測することが可能である。
【００４７】
また、目標発電量は、上限値と下限値とを有する一定の範囲として設定し、この一定の範囲内に太陽光発電装置１０の実際の発電量が入っている間は、熱電発電装置２０の状態（起動状態及び停止状態）を変えないように、出力制御部５６が熱電発電装置２０を制御するようにしてもよい。これにより、熱電発電装置２０が起動、停止を頻繁に繰り返すことがなくなる。
【００４８】
また、上述した実施形態においては、太陽光発電装置１０が発電した電力を全て電力系統１００に出力することを想定しているが、それに限らず、太陽光発電装置１０を住宅に設置した場合、太陽光発電装置１０が発電した電力の一部を住宅における各種の電気機器の電源として用いてもよい。
【００４９】
図４は、太陽光発電装置１０が発電した電力の一部を電源として用いる場合の出力安定化システム１の構成を示す説明図である。なお、図４に示す出力安定化システム１において、図１に示す出力安定化システム１における部材と同一の部材あるいは同一機能の部材については、同一の符号を付して詳細な説明は省略した。
【００５０】
図４に示す出力安定化システム１は、図１に示す出力安定化システム１に対して変換器１４及び消費予測部６２を更に備えたものである。
【００５１】
変換器１４は、太陽光発電装置１０が発電した直流電力を、商用電源となる交流電力に変換するものである。商用電源を使用する住宅内における各種の電気機器は、変換器１４に接続することによって使用可能になる。
【００５２】
消費予測部６２は、ＣＰＵ４２が、ＲＯＭ４４に記憶されている住宅において使用される太陽光発電装置１０の電力の予測消費量を求めるためのプログラムを実行した場合の機能である。具体的に、消費予測部６２は、住宅において消費した太陽光発電装置１０の電力量を月日や曜日に対応させてＲＡＭ４６に記憶することにより、消費テーブルを作成する。
【００５３】
そして、消費予測部６２は、太陽光発電装置１０による発電が開始する前に、ＲＡＭ４６に記憶されている消費テーブルを参照して消費予測量を設定する。例えば、当日の曜日と同じ曜日の過去の消費電力量を複数抽出して平均を取った値を予測消費量とする。
【００５４】
また、予測出力量算出部６０は、気象情報収集部５８から気象情報を取得するとともに、消費予測部６２から消費予測量を取得し、ＲＡＭ４６に記憶されている基準発電量テーブルの発電量を、気象情報や予測消費量の分だけ低く調整する演算を行い、予測発電量を設定する。更に、出力予測部５０は、予測出力量算出部６０が算出した予測発電量に基づいて目標発電量を設定する。その他は、図１に示す出力安定化システム１と同一である。
【００５５】
これにより、太陽光発電装置１０による電力を使用して余った電力を、熱電発電装置２０の電力によって平滑して電力系統１００に出力することができる。なお、上述した例は、住宅に太陽光発電装置１０を設けたものであるが、そればかりではなく、商業施設や工業施設等に太陽光発電装置１０を設けた場合も同様である。
【符号の説明】
【００５６】
１  出力安定化システム
１０  太陽光発電装置
１２  電源ライン
１４  変換器
２０  熱電発電装置
２２  温水部
２４  冷水部
２６  熱電変換素子
３０  加熱装置
３２  貯水タンク
３４  ヒートポンプ
３５  電源スイッチ
３６  配管
３８  開閉弁
３９  制御回路
４０  熱電発電制御装置
４２  ＣＰＵ
４４  ＲＯＭ
４６  ＲＡＭ
５０  出力予測部
５２  出力計測部
５４  電源切替部
５５  開閉弁切替部
５６  出力制御部
５８  気象情報収集部
６０  予測出力量算出部
６２  消費予測部
７０  太陽熱温水器
１００  電力系統
【図１】
2013198197.tif 000003
【図２】
2013198197.tif 000004
【図３】
2013198197.tif 000005
【図４】
2013198197.tif 000006